(57)【要約】【課題】給水ホースと給水弁及び給水弁と給水手段との接続部の水漏れを防止する。【解決手段】給水ホース８ａは、取付部材４０に設けた多数の貫通穴４１のうちのいずれか２個を介して、洗濯機の設置場所の条件に合わせて給水ホース８ａを引き廻したい角度に位置規制となるように取付部材４０を回転させて本体１の後面部に後方よりねじ４３で固定される構成としたことにより、給水ホース８ａの回り止めと給水ホースの保護形状を具備し、給水ホース８ａと給水口８との接続部分が取付部材４０の端面より内方に位置する構造としたので、給水口８を製品背面に配置し、給水口に外力が加えられても、給水ホースと給水弁及び給水弁３０と給水手段３４の接続部分から水漏れしないようにした。【選択図】図２
2012179269.tif 000002
【特許請求の範囲】
【請求項１】
略水平方向または傾斜方向に回転軸を有する回転ドラムと、前記回転ドラムを内包した外槽と、前記外槽を収納する本体と、前記回転ドラムを回転させる駆動モータと、前記本体の上部に設けられ給水ホースが接続される給水口と、前記給水口からの給水を制御する給水弁と、前記給水弁から供給される水を前記外槽内に給水する給水手段と、前記本体の後面部から前方に窪んだ窪み部を有する取付部材とを備え、前記給水口を前記窪み部に配し、前記給水ホースは前記取付部材と共に回転可能に配置し、前記取付部材の外周部に設けた複数の貫通穴のうちのいずれかを介して、前記取付部材を前記本体の後方よりねじ固定する構成としたドラム式洗濯機。
【請求項２】
取付部材の最外周部から給水口に向けて収まる給水ホースの一部は、取付部材の後端部より前方に収まる構成とした請求項１記載のドラム式洗濯機。
【発明の詳細な説明】
【技術分野】
【０００１】
本発明は、外槽内に、回転軸方向が水平方向または水平方向から後方下方に傾斜した方向で回転自在に支持された回転ドラム内で洗濯、すすぎ、脱水等の行程を連続的に行うドラム式洗濯機のた給水構成に関するものである。
【背景技術】
【０００２】
従来のドラム式洗濯機は、洗濯機本体上部の空間内に給水制御手段としての給水弁を配設し、この給水弁の給水口に水道水等を供給する為の給水ホースを、水封部材等を介して略一直線状に配置し、後方に配管していた（例えば特許文献１参照）。
【０００３】
また、近年ドラム式洗濯機を部屋の壁面に近接して設置して、前方に、はり出す寸法を少なくすることが求められ、この場合製品背面に給水口を配置するのが困難で、給水口を製品上面に配置されることが、多くなってきた（例えば特許文献２参照）。
【０００４】
図５は、従来例１として特許文献１に記載されたドラム式洗濯機の縦断面図を示すものであり、以下図５に基づいて説明する。
【０００５】
図５において、ドラム式洗濯機の本体１内に、サスペンション構造２によって防振支持された外槽３と、外槽３内に回転自在に支持された回転ドラム４とが配設されている。回転ドラム４は、回転軸７にて軸支され、外槽３の外底部に固着した駆動モータ５によって回転駆動される。
【０００６】
また、本体１内の上部空間には、給水弁３０が、配設されており、この給水弁３０に対する水の導入口として本体１の後部背面には給水口８が設けられ、この給水口８には水道水等を供給するための水道栓に至る給水ホース８ａを接続している。
【０００７】
前記給水弁３０の前方には、洗剤ケース２１を引き出し自在に内包する洗剤投入手段としての給水手段３４が設けられており、この給水手段３４の後背面に水封部材であるゴム製のパッキン２０を介して給水弁３０が略一直線に配置、直結されている。
【０００８】
この給水弁３０から給水手段３４に供給された水は、給水手段３４の底部に接続された注水管１０を通して外槽３内へと供給される。
【０００９】
一方、給水口を製品上面に配置した従来例２として特許文献２に記載されたドラム式洗濯機の縦断面図を図６に、給水手段部の要部断面図を図７に示し、以下図６、図７を用いて説明する。
【００１０】
図６において、ドラム式洗濯機の本体１の上面には、給水ホース８ａと接続される給水口８が垂直に上方を指向して設けられ、この給水口８は、給水弁３０と一体に形成されている。この給水弁３０の流出口３１は、給水手段３４に接続され、給水された水は内部の洗剤ケース２１を介して注水管１０から外槽３内部に流入する。
【００１１】
図７おいて、垂直方向に構成された給水口８は、その下端部を電磁給水弁等で水の供給、停止を行う給水弁３０に一体に形成され、給水弁３０の流出口３１は、給水口８と略直角方向に円筒形状に形成されている。
【００１２】
流出口３１の外周面には、フランジ３２ａが設けられた円筒状の流出シール部材３２を装着し、さらに流出シール部材３２の外周面は、径の異なる２本の円筒部３３ｂ、３３ｃを有する段付きパイプ状に形成した樹脂成型部材等の接続部材３３の径の大きい方の円筒部３３ｃの内周面に水密的に密着挿入されている。
【００１３】
接続部材３３の径の小さい方の円筒部３３ｂは、その外周面に円筒形状の給水シール部材３６が装着され、さらに、給水手段３４に一体形成され、流出口３１と略同軸的に配置された円筒形状の流入口３５の内周面に水密的に密着挿入されている。
【００１４】
流出シール部材３２および給水シール部材３６は、ゴム等の弾性体にて形成され、それぞれ、流出口３１の外周面および接続部材３３の径の小さい方の円筒部３３ｂの外周面に緊迫力をもって水密的に装着しつつ、給水口８と一体に形成された給水弁３０は、ねじ３７にて給水手段３４の後方へ突出するように一体形成したボス部３８に固定する。
【先行技術文献】
【特許文献】
【００１５】
【特許文献１】特開２００５−１５２６７０号公報
【特許文献２】特開２００７−３１２９５３号公報
【発明の概要】
【発明が解決しようとする課題】
【００１６】
しかしながら、前記従来例１の構成では、給水口８が本体１後方背面に配置され、かつ給水口８、給水弁３０、給水手段９が略一直線上に配置されているので、給水ホースが後方に飛び出した構成であり、洗濯機と後ろ壁に空間が必要との設置条件に課題があると共に、給水ホースの回り止めと給水ホースの保護形状を具備していないため、製品設置後給水口８部や給水ホース８ａに外力が加わると、水漏れに対して十分とは言えず、最悪の場合水漏れを起こすおそれがある。
【００１７】
また、従来例２のように給水口を製品上面に配置された場合には、給水ホース８ａや給水口８と給水手段３４が略直角方向の配置になり、給水ホース８ａの回り止めや給水ホース８ａの保護形状を具備していないため、製品設置後給水口８部分に外力が加えられると、給水弁３０と給水手段３４との接続部分には曲げ方向の強い応力が加わるので、たとえねじ３７で固定しても水封部材のゴムパッキンを介しての接続では、水漏れに対して十分とは言えず、最悪の場合水漏れを起こすおそれがある。
【００１８】
本発明は、上記従来の課題を解決するもので、給水ホースの回り止めと給水ホースの保護により、製品設置の全体寸法を大きくすること無く、給水ホースと給水弁及び給水弁と給水手段との接続部の水漏れを防止し、水漏れの恐れのない安全性に優れたドラム式洗濯機を提供することを目的とする。
【課題を解決するための手段】
【００１９】
上記従来の課題を解決するために、本発明のドラム式洗濯機は、略水平方向または傾斜方向に回転軸を有する回転ドラムと、前記回転ドラムを内包した外槽と、前記外槽を収納する本体と、前記回転ドラムを回転させる駆動モータと、前記本体の上部に設けられ給水ホースが接続される給水口と、前記給水口からの給水を制御する給水弁と、前記給水弁から供給される水を前記外槽内に給水する給水手段と、前記本体の後面部から前方に窪んだ窪み部を有する取付部材とを備え、前記給水口を前記窪み部に配し、前記給水ホースは前記取付部材と共に回転可能に配置し、前記取付部材の外周部に設けた複数の貫通穴のうちのいずれかを介して、前記取付部材を前記本体の後方よりねじ固定する構成としたものである。
【００２０】
これにより、製品本体上面或いは背面に給水口を設け、給水口或いは給水ホース自身に外力が加えられても、給水ホースの回り止めと給水ホースの保護ができる構造となるので、給水ホースと給水弁及び給水弁と給水手段との接続部の水漏れを防止し、ホースバンド等を使用していないため、接続部材の大きさをできる限り小さくすることで、製品全体もコンパクトに構成できる。
【発明の効果】
【００２１】
本発明のドラム式洗濯機は、給水口を製品上面に配置された場合にも、製品の大きさを大きくすること無く、水漏れのおそれも減らすことができる。
【図面の簡単な説明】
【００２２】
【図１】本発明の実施の形態におけるドラム式洗濯機の縦断面図
【図２】同洗濯機の給水手段部の要部断面図
【図３】同洗濯機の給水手段部の外観背面図
【図４】同洗濯機の給水手段部の外観上面図
【図５】従来例１のドラム式洗濯機の縦断面図
【図６】従来例２のドラム式洗濯機の縦断面図
【図７】同洗濯機の給水手段部の要部断面図
【発明を実施するための形態】
【００２３】
第１の発明は、略水平方向または傾斜方向に回転軸を有する回転ドラムと、前記回転ドラムを内包した外槽と、前記外槽を収納する本体と、前記回転ドラムを回転させる駆動モータと、前記本体の上部に設けられ給水ホースが接続される給水口と、前記給水口からの給水を制御する給水弁と、前記給水弁から供給される水を前記外槽内に給水する給水手段と、前記本体の後面部から前方に窪んだ窪み部を有する取付部材とを備え、前記給水口を前記窪み部に配し、前記給水ホースは前記取付部材と共に回転可能に配置し、前記取付部材の外周部に設けた複数の貫通穴のうちのいずれかを介して、前記取付部材を前記本体の後方よりねじ固定する構成としたことにより、給水ホースの回り止めと給水ホースの保護形状を具備した構造となるので、給水口に外力が加わりにくく、給水ホースと給水弁及び給水弁と給水手段との接続部の水漏れを防止するとともに、ホースバンド等を後から取り付ける必要がないので、その取付け作業のための空間を確保する必要もないコンパクトな製品を構成できる。
【００２４】
第２の発明は、上記第１の発明において、取付部材の最外周部から給水口に向けて収まる給水ホースの一部は、取付部材の後端部より前方に収まる構成としたことにより、給水ホースを製品設置場所の背面側の壁に当てることがなく、水経路の接続部（給水ホースの締結ナット部と給水口）に力が加わりにくいので、水漏れの恐れがない。
【００２５】
以下、本発明の実施の形態について、図面を参照しながら説明する。なお従来例と同じ構成のものは同一符号を付して詳細説明を省略する。また、この実施の形態によって本発明が限定されるものではない。
【００２６】
（実施の形態１）
図１は、本発明の第１の実施の形態におけるドラム式洗濯機の縦断面図であり、図２は、同ドラム式洗濯機の給水手段部の要部断面図である。
【００２７】
図１において、ドラム式洗濯機の本体１内には、外槽３が水平方向から後方下方に斜め傾斜した状態に支持され、外槽３内には有底円筒形に形成された回転ドラム４が回転軸７にて回転自在に支持され、回転ドラム４は、外槽３の背面に取り付けられた駆動モータ５によって回転駆動されるとともに、その回転速度や回転方向が変えられるようになっている。本体１の正面側には、開閉自在の扉体６が設けられている。
【００２８】
本体１の後方上部には、給水ホース８ａと接続される給水口８が設けられ、この給水口８は、給水弁３０と一体に形成されている。この給水弁３０の一端の流出口３１は、給水手段３４に接続され、給水された水は内部の洗剤ケース２１を介して注水管１０から外槽３内部に流入する。また、前記給水弁３０は、１個の給水口８から給水し製品の仕様により複数の流出口３１から分岐して（例えば洗剤用、柔軟仕上げ剤用等）供給する事がある。
【００２９】
給水口８には、給水ホース８ａの先端に取り付けた略Ｌ字状のエルボ管４２を締結ナット４９にて水密的に締結する。
【００３０】
また、給水ホース８ａは、取り付け部材４０にて回転方向の位置を設定後、動きを規制して洗濯機本体に固定している。
【００３１】
図２の給水手段部の要部断面図において、水平方向に構成された給水口８は、その左端部を電磁給水弁等で水の供給、停止を行う給水弁３０に一体に形成され、さらに左方向には給水弁３０の水が流出する流出口３１が、給水口８と水平方向に円筒形状に形成されている。
【００３２】
また、給水ホース８ａは、取付部材４０に設けた回り止め４０ａにて、給水ホース８ａまたは、エルボ管４２と給水ホース８ａの加締め金具４４近傍を挟むように回転方向の位置規制がなされる。
【００３３】
取付部材４０は、本体１の後面部から前方に大きく円筒状に窪んだ形状の窪み部４０ｂを構成し、前記窪み部４０ｂを本体１後面に設けた開口３７に後方より挿入し、外周部でねじ４３にて本体１に固定する。
【００３４】
前記取付部材４０の円筒状の窪み部４０ｂは、ねじ４３で固定前には本体１の開口３７内で回転可能に挿入装着されると共に、円筒部４０ｂ内方にはエルボ管４２や締結ナット４９が、図２で取付部材４０の端部４０ｄを超えないように収納される。
【００３５】
上記のように、給水口８、エルボ管４２、締結ナット４９および給水ホース８ａの加締め金具４４等の接続部が、取付部材４０により、位置規制兼回り止めと外力からの影響を受けない構成としている。
【００３６】
また、流出口３１と給水手段３４との接続は、段付きパイプ状の接続部材３３に流出シール部材３２および給水シール部材３６を装着し、流出口３１外周と円筒形状の流入口３５の内周面に水密的に密着挿入する構成である。
【００３７】
図３の給水手段部の外観背面図は、図２のＡ方向から見た矢視図であり、同図３において、取付部材４０には給水ホース８ａの加締め金具４４の位置を規制するように平行状態に立ち上がる形状の回り止め４０ａと、外周部に給水口の中心と同心円状に３０度間隔で貫通穴４１が１２個（４１−ａから４１−）設けられている。
【００３８】
前記貫通穴４１と同心円状に、本体後面部には９０度間隔でねじ４３が締結するねじ穴４８（４８−ａから４８ｄ）を設けておく。
【００３９】
給水ホース８ａを垂直に向けた図３の状態では、取付部材４０の貫通穴４１−ａとねじ穴４８−ａ、貫通穴４１−ｄとねじ穴４８−ｂ、貫通穴４１−ｇとねじ穴４８−ｃ、および貫通穴４１−ｊとねじ穴４８−ｄ、とが同一位置になる。
【００４０】
前記多数の貫通穴４１（４１−ａから４１−）のうちのどれか２個を介して、洗濯機と給水蛇口の設置場所の条件に合わせて給水ホース８ａを引き廻したい角度になるように、取付部材４０を本体１に回転させて本体１の後面部に後方よりねじ４３で固定する構成である。
【００４１】
なお、図３の状態は、回り止め４０ａを垂直方向に向けて設置し、水平方向に位置する貫通穴４１−ａと４１−ｇの２ヶ所で、本体１のねじ穴４８−ａと４８−ｃに固定した場合で、給水ホース８ａは垂直方向に配管した場合を示し、給水ホース８ａの角度は３０度間隔での配管が可能となる。
【００４２】
図４は、給水手段部の外観上面図を示し、複数の流出口３１を有する給水弁３０には、本体１の後面部に至る本体の後面部に垂直に当接するように後方へ突出するように一体形成したボス部４５を有する給水弁取付部４６を形成し、前記ボス部に設けた取付穴５０に本体１の後面から複数個のタッピングねじ３９で固定する。
【００４３】
また、取付部材４０と本体１との取付時の作業性を向上させる為に、取付部材４０に設けた貫通穴４１（４１−ａから４１−）と同心円状に、本体後面部には、９０度間隔で突き出し部４７を複数個設け、ねじ４３以外の箇所で貫通穴（４１−ａから４１−）係合させる。
【００４４】
以上のように構成されたドラム式洗濯機について、以下その動作、作用を説明する。
【００４５】
例えば、給水ホース８ａを図３のように略鉛直上方向に引き廻す場合は、給水ホース８ａを略鉛直上方向に向けて、取付部材４０の貫通穴４１−ａと１８０度対応位置の貫通穴
４１−ｇとで本体後面部にねじ４３にて本体のねじ穴４８−ａと４８ｃにねじ固定する。
【００４６】
また、給水ホース８ａを水平方向（製品に向かって左側）に引き廻す場合は、給水ホース８ａを製品に向かって左側に向け（即ち取付部材４０を反時計回りに９０度回転させ）て、取付部材４０の貫通穴４１−ａが４１−ｄの位置まで回転して本体後面部の４８−ｂと、取付部材の貫通穴４１−ｇが本体後面部の４８−ｄとを後方よりねじ４３にてねじ固定するといった具合である。
【００４７】
よって、給水ホース８ａの角度は、３０度間隔で調整が出来るので、ほぼあらゆる設置条件に対応が可能である。
【００４８】
また、取付部材４０の回り止め４０ａは、給水ホース８ａまたは加締め金具４４近傍を挟み込むように保持しているので、給水ホース自身に外力が加えられても、給水ホースの回り止めと給水ホースの保護形状を具備した構造となるので、水経路の接続部（給水ホースの締結ナット４９と給水口８及び給水弁３０の流出口３１と給水手段３４）に力が加わらないので、水漏れの恐れがない。
【００４９】
さらに、取付部材４０の端部４０ｄは、給水ホース８ａおよび給水口８と給水ホース８ａとの接続構成が突出しないように形成している（図３における取付部材４０の最外周部から給水口８に向けて収まる給水ホース８ａの一部が、図２における取付部材４０の端部４０ｄより前方に収まる）ので、製品設置場所の背面側の壁との位置規制しつつ、接続部分への外力が作用しにくい構成となっている。また、給水弁３０の流出口３１と給水手段３４との接続部にも外力が加わらないので、従来例のような水漏れの危惧は解消される。とくに製品設置時には、前記取付部材４０の端部４０ｄが後ろ壁に近接するように設置の目安としての機能を発揮する事が出来る。
【００５０】
また、一般的なホースバンドを使用していないので、その取付け空間を確保する必要がなく、製品本体が大きくなることもない。
【産業上の利用可能性】
【００５１】
以上のように、本発明にかかるドラム式洗濯機は、シール用のホースバンド等も使用していないので、その取付空間が必要なく、製品を大きくする必要もないので、洗濯機に
限らず、水経路の接続を要する各種機器、装置にも広く適用が可能となる。
【符号の説明】
【００５２】
１      本体
３      外槽
４      回転ドラム
５      駆動モータ
７      回転軸
８      給水口
８ａ    給水ホース
２１    洗剤ケース
３０    給水弁
３１    流出口
３４    給水手段
３９    タッピングねじ
４０    取付部材
４０ａ  回り止め
４０ｂ  窪み部
４０ｄ  取付部材の端部
４１    貫通穴
４３    ねじ
４５    ボス部
４７    突き出し部
５０    取付穴
【図１】
2012179269.tif 000003
【図２】
2012179269.tif 000004
【図３】
2012179269.tif 000005
【図４】
2012179269.tif 000006
【図５】
2012179269.tif 000007
【図６】
2012179269.tif 000008
【図７】
2012179269.tif 000009